(57)【要約】【課題】容器本体が濡れている場合であっても、押圧部を容易に押圧することを可能とする。【解決手段】上記課題を解決するために、本発明のある観点によれば、水と併用される内容液および圧縮ガスが収容されているエアゾール容器であって、容器本体と、容器本体の上側に装着される装着具と、を備え、装着具は、容器本体の径方向の中心から外側に向かって延び、先端の吐出口から内容液を吐出するノズル部と、ノズル部の吐出口とは径方向反対側に配置される取手部と、取手部の上方に配置される押圧部と、を備え、押圧部が押圧されることにより、容器本体に収容されている内容液がノズル部を通じて吐出され、内容液は、滑性成分を含有しており、かつ、３０℃における吐出５秒後の内容液の吐出後粘度が、３０℃における吐出前粘度よりも低い、エアゾール容器が提供される。【選択図】図１
2019051958.tif 000002
【特許請求の範囲】
【請求項１】
水と併用して用いられる、内容液および圧縮ガスが収容されているエアゾール容器であって、
容器本体と、
前記容器本体の上側に装着される装着具と、
を備え、
前記装着具は、
前記容器本体の径方向の中心から外側に向かって延び、先端の吐出口から前記内容液を吐出するノズル部と、
前記ノズル部の前記吐出口とは前記径方向反対側に配置される取手部と、
前記取手部の上方に配置される押圧部と、
を備え、
前記押圧部が押圧されることにより、前記容器本体に収容されている前記内容液が前記ノズル部を通じて吐出され、
前記内容液は、滑性成分を含有しており、かつ、３０℃における吐出５秒後の前記内容液の吐出後粘度が、３０℃における吐出前粘度よりも低い、エアゾール容器。
【請求項２】
内容液充填後、３０℃、１気圧の条件下で前記押圧部が最初に１０秒間押圧された場合、前記ノズル部の吐出口は、３０〜７０ｇの前記内容液を吐出する、請求項１記載のエアゾール容器。
【請求項３】
前記内容液の３０℃における粘度は、１０００ｍＰａ・ｓ以上１０００００ｍＰａ・ｓ以下である、請求項１または２に記載のエアゾール容器。
【請求項４】
前記滑性成分は、界面活性剤、高級アルコール、高級脂肪酸、及び、前記以外の３０℃で液体の油剤からなる群から選択されるいずれか１種以上又はそれらの混合物を含む、請求項１〜３のいずれか１項に記載のエアゾール容器。
【請求項５】
前記滑性成分は、前記界面活性剤として、前記内容液の総質量に対して０．２質量％以上３質量％以下のカチオン性界面活性剤を含む、請求項４記載のエアゾール容器。
【請求項６】
前記滑性成分は、前記界面活性剤として、前記内容液の総質量に対して５質量％以上３５質量％以下のアニオン性界面活性剤を含む、請求項４または５に記載のエアゾール容器。
【請求項７】
前記滑性成分は、前記内容液の総質量に対して１質量％以上１５質量％以下の前記油剤を含む、請求項４〜６のいずれか１項に記載のエアゾール容器。
【請求項８】
前記内容液は、エタノールの含有量が前記内容液の総質量に対して１０質量％以下である、請求項１〜７のいずれか１項に記載のエアゾール容器。
【請求項９】
前記押圧部の表面には、滑り止め加工が施されている、請求項１〜８のいずれか１項に記載のエアゾール容器。
【請求項１０】
請求項１〜９のいずれか１項に記載のエアゾール容器を使用するエアゾール容器の使用方法であって、
水と併用して内容液が使用される環境下で、前記取手部に手指を掛けながら前記押圧部を押圧することで、前記内容液を前記ノズル部の吐出口から吐出させる、エアゾール容器の使用方法。
【発明の詳細な説明】
【技術分野】
【０００１】
本発明は、エアゾール容器に関する。
【背景技術】
【０００２】
例えば特許文献１〜３に開示されるエアゾール容器は、内容液および圧縮ガスを収容する容器本体、および容器本体の上側に装着される装着具を有する。エアゾール容器を使用する場合、使用者は、容器本体を手で持ちながら、いずれかの指（主に人差し指）で装着具の押圧部を押圧する。これにより、装着具が容器本体のステムを押下げ、ステムに設けられた横穴が開放される。ステムの横穴は装着具に設けられた吐出口に繋がる流路を形成し、内容液は、圧縮ガスの圧力により当該流路を介して吐出口から吐出される。使用者は、吐出された内容液を当該内容液の種類に応じた用途に使用する。
【先行技術文献】
【特許文献】
【０００３】
【特許文献１】特開平９−１２４３４号公報
【特許文献２】特開２０１７−１２４９８０号公報
【特許文献３】特開２００２−３２６６７８号公報
【発明の概要】
【発明が解決しようとする課題】
【０００４】
ところで、何らかの原因により容器本体が濡れることがある。例えば、内容液が浴室内で使用されるもの（例えば、ボディソープ、シャンプー、リンス、トリートメント等）である場合、エアゾール容器は浴室内で使用されることになる。この場合、使用者は、水分の残った体または髪に内容液を使用することが多い。水分の残った体または髪に内容液を使用する例としては、体をボディソープで洗浄する、髪をシャンプーで洗浄する、髪をトリートメントする等が挙げられる。そして、使用者は、水分の残った体または髪に内容液を使用する場合、濡れた手で容器本体をつかむことが多いので、容器本体が濡れる。また、シャワー等から放出された水が容器本体に掛かる等の原因によっても容器本体が濡れる。
【０００５】
そして、容器本体が濡れている場合、使用者は、容器本体を持つ手が滑ってしまうため、押圧部を押圧しにくくなる。ここで、吐出口から内容液を吐出させるために必要な押圧部のストローク量は比較的小さいものの、必要な押圧力は比較的高い。このため、容器本体が濡れている場合、使用者は、エアゾール容器から内容液を吐出させにくくなるという問題があった。
【０００６】
さらに、エアゾール容器から吐出された内容液が容器本体に付着する場合がある。容器本体に付着した内容液は、容器本体をさらに滑りやすくする。内容液が滑性成分を含んでいる場合、容器本体は特に滑りやすくなる。
【０００７】
本発明は、容器本体が濡れている場合であっても、押圧部を容易に押圧することが可能なエアゾール容器に関する。
【課題を解決するための手段】
【０００８】
上記課題を解決するために、本発明のある観点によれば、水と併用して用いられる、内容液および圧縮ガスが収容されているエアゾール容器であって、容器本体と、容器本体の上側に装着される装着具と、を備え、装着具は、容器本体の径方向の中心から外側に向かって延び、先端の吐出口から内容液を吐出するノズル部と、ノズル部の吐出口とは径方向反対側に配置される取手部と、取手部の上方に配置される押圧部と、を備え、押圧部が押圧されることにより、容器本体に収容されている内容液がノズル部を通じて吐出され、内容液は、滑性成分を含有しており、かつ、３０℃における吐出５秒後の内容液の吐出後粘度が、３０℃における吐出前粘度よりも低い、エアゾール容器に関する。
【発明の効果】
【０００９】
以上説明したように本発明によれば、使用者は、取手部に指（例えば人差し指）を掛けながら押圧部を親指で押圧することができる。すなわち、使用者は、容器本体を持たずに押圧部を押圧することができる。したがって、使用者は、容器本体が濡れて滑りやすくなっていたとしても、押圧部を安定して押圧することができる。
【図面の簡単な説明】
【００１０】
【図１】本発明の実施形態によるエアゾール容器の外観を示す斜視図である。
【図２】アクチュエータおよび連結部材の分解斜視図である。
【図３】Ｉ−Ｉ線断面を示すアクチュエータおよび連結部材の断面図である。
【図４Ａ】アクチュエータの平面図である。
【図４Ｂ】第１のガイド部を含む部分の拡大図である。
【図５】連結部材およびアクチュエータの載置状態を示す説明図である。
【図６】待機状態における、ＩＩ−ＩＩ線断面を示すアクチュエータ２０および連結部材１２の断面図である。
【図７】押圧状態における、ＩＩ−ＩＩ線断面を示すアクチュエータおよび連結部材の断面図である。
【図８】押圧領域と指掛け領域との位置関係を示す説明図である。
【図９】押圧領域と指掛け領域との位置関係を示す説明図である。
【図１０】ロックピンの斜視図である。
【図１１】応用例によるアクチュエータの外観を示す説明図である。
【図１２】容器本体の断面図である。
【図１３】比較例係るエアゾール容器の外観を示す斜視図である。
【図１４】比較例係るエアゾール容器の外観を示す斜視図である。
【発明を実施するための形態】
【００１１】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１２】
＜エアゾール容器の概略構成＞
本実施形態は、特定の内容液および圧縮ガスを収納するエアゾール容器に関する。そこで、まず、図１を参照し、本発明の実施形態によるエアゾール容器の概略構成を説明する。
【００１３】
図１は、本発明の実施形態によるエアゾール容器１の外観を示す斜視図である。図１に示したように、実施形態によるエアゾール容器１は、容器本体１０、連結部材１２およびアクチュエータ２０を有する。
【００１４】
容器本体１０は、一端に底部を有し他端に開口を有する円筒部、および円筒部の開口を塞ぐマウンテンカップを有する。円筒部およびマウンテンカップにより形成される閉空間は、圧縮ガスおよび内容液などが収容される収容空間として用いられる。図１２に示した容器本体１０の断面図のように、収容空間においては、例えば、内容液を収容する内袋１８がマウンテンカップ１４に嵌挿されたステム１６の下端側を覆い、当該内袋１８と容器本体１０の外壁との間に圧縮ガスが充填される。この場合、ステム１６の押下げによりステム孔が開放されると、内袋１８に収容された内容液が、圧縮ガスの圧力によりステム孔を介してアクチュエータ２０側へ押し出される。
【００１５】
連結部材１２は、容器本体１０とアクチュエータ２０を連結する部材である。連結部材１２は、詳細については図２および図３に示すように、マウンテンカップ１４の環状突出部１４ａに嵌合する環状溝、および、アクチュエータ２０と脱着可能に螺合される螺合部を有する。なお、本明細書において、環状は、ある領域を取り囲う形状であり、当該形状は円形であってもよいし、角形であってもよく、また、全体に亘って連続していてもよいし、断続的であってもよい。
【００１６】
アクチュエータ２０は、連結部材１２を介して容器本体１０の上部に装着される装着具である。使用者は、アクチュエータ２０を操作することにより、エアゾール容器１に内容液を吐出させることが可能である。このようなアクチュエータ２０は、図１に示したように、ステム嵌合部材２２、基台２４、取手部２６および回動部２８を有する。
【００１７】
ステム嵌合部材２２は、容器本体１０に嵌挿されたステム１６に嵌合する部材である。ステム嵌合部材２２は、内容液の流路を形成するノズル部２３０を有し、ノズル部２３０は、その先端に内容液を吐出する吐出口２３２を有する。使用者が、例えば取手部２６を人差指および中指で握り、親指で回動部２８の押圧領域２８２を押圧すると、回動部２８が回動中心Ｒ周りに回動することでステム嵌合部材２２およびステムが回動部２８に押下げられ、吐出口２３２から容器本体１０の内容液が吐出される。
【００１８】
容器本体１０、連結部材１２およびアクチュエータ２０は、各々、金属製であってもよいし、合成樹脂製であってもよい。
【００１９】
また、本明細書においては、エアゾール容器１の高さ方向を上下方向（図１に示したＺ方向）と称し、容器本体１０に対してアクチュエータ２０が位置する側を上側と称し、上側の反対側を下側と称する。また、上下方向に直交しノズル部２３０の延出方向（長さ方向）に沿う方向を前後方向（図１に示したＸ方向）と称し、エアゾール容器１の上下方向に沿う中心軸に対して吐出口２３２が位置する側を前側と称し、前側の反対側を後側と称する。また、上下方向および前後方向と直交する方向を幅方向（図１に示したＹ方向）と称する。
【００２０】
＜アクチュエータの構成＞
以上、本発明の実施形態によるエアゾール容器１の概略構成を説明した。続いて、連結部材１２の説明を交えながら、アクチュエータ２０の構成をより詳細に説明する。
【００２１】
図２は、アクチュエータ２０および連結部材１２の分解斜視図である。図３は、図１に示したＩ−Ｉ線断面を示すアクチュエータ２０および連結部材１２の断面図である。図４Ａは、回動部２８以外の構成を示すアクチュエータ２０の平面図である。図２においては、回動部２８が基台２４に対して開かれた状態が示されている。
【００２２】
（連結部材１２）
連結部材１２は、容器本体１０とアクチュエータ２０を連結する部材である。図２および図３に示したように、連結部材１２は、環状溝１２１、開口１２２、螺合部１２４、下端縁部１２６を有する。環状溝１２１は、連結部材１２の下面側に環状に設けられた溝であり、当該環状溝１２１に図３に示したマウンテンカップ１４の環状突出部１４ａが嵌合する。開口１２２は、エアゾール容器１の中心軸上に位置し、当該開口１２２にステム嵌合部材２２が挿入される。螺合部１２４は、連結部材１２の外周の外側面に形成されており、基台２４に内側を向いて形成された螺合部２４１と螺合する。
【００２３】
下端縁部１２６は、連結部材１２の下端に位置する環状の縁部である。幅方向から連結部材１２を見た際の下端縁部１２６の形状は、前後方向上の中央の位置において最も下側に膨らむ凸形状である。このため、連結部材１２にアクチュエータ２０が螺合された状態において、図５に示すように、取手部２６の下端と、下端縁部１２６上の２点との計３点が載置面に接する。従って、載置面において連結部材１２およびアクチュエータ２０を安定的に支持することが可能である。
【００２４】
（ステム嵌合部材２２）
ステム嵌合部材２２は、図２〜図４Ａに示したように、筒状部２２０、２つの張出部２２４、２つの第１の板部２２５、第２の板部２２６、およびノズル部２３０を有する。
【００２５】
筒状部２２０は、ステム１６の往復移動の方向、すなわち、上下方向に沿って延出しており、上下方向に沿う中空部２２１を有する。中空部２２１の上端は筒状部２２０の天面２２８により終端され、中空部２２１の下端には、ステム１６が脱着可能に嵌合される開口２２２が位置する。なお、以下では開口２２２とステム１６の関係に関して嵌合という表現を用いるが、開口２２２とステム１６は結合または外嵌などの表現に適合する関係を有してもよい。また、図２においては筒状部２２０が円柱形である例を示しているが、筒状が意味する形状は、円柱形に限定されず、角柱形であってもよいし、円錐台であってもよいし、角錐台であってもよい。
【００２６】
各張出部２２４は、ノズル部２３０の延出方向、すなわち前後方向と交差する方向に筒状部２２０から張り出している部材である。各張出部２２４は、図４Ａに示したように、筒状部２２０の幅方向の両側から幅方向に沿って張り出してもよい。この張出部２２４の上面は、上側に頂部を有する曲面で構成されることが望ましい。例えば、張出部２２４の形状は図２に示したように、幅方向に高さを有する円柱形状であってもよい。また、図２に示したように、張出部２２４は筒状部２２０の天面２２８より下側の位置に形成されている。なお、本明細書においては、筒状部２２０から２つの張出部２２４が張り出す例を説明するが、筒状部２２０から張り出す張出部２２４の数は２つに限定されず、３つ以上のより多くの張出部２２４が筒状部２２０から張り出してもよい。
【００２７】
２つの第１の板部２２５および第２の板部２２６は、筒状部２２０から異なる方向に張り出している部材である。各第１の板部２２５は、張出部２２４と同様に筒状部２２０の幅方向の両側から幅方向に沿って張り出してもよい。第２の板部２２６は、筒状部２２０の後側から前後方向に沿って張り出している部材である。
【００２８】
ノズル部２３０は、容器本体の径方向の中心から外側に向かって延び、先端の吐出口から内容液を吐出する。具体的には、ノズル部２３０は、吐出口２３２、および筒状部２２０の中空部２２１と吐出口２３２を連通する内容液の流路２３４を有する。図３に示したように、吐出口２３２は、筒状部２２０を基準とする吐出口２３２の方向上で、アクチュエータ２０のステム嵌合部材２２以外の部分よりも、半径方向外側に突出して位置し得る。さらに、吐出口２３２の吐出側の先端は、容器本体１０の外周面よりも前側に突出して位置し得る。かかる構成によれば、吐出口２３２から垂れ落ちた内容液がアクチュエータ２０または容器本体１０に付着することを抑制できる。なお、後述するように、本実施形態では、内容液が所謂高滑性内容液となっている。このため、吐出後に吐出口２３２に残留した内容液が垂れ落ちやすく、上記構成によっても容器本体１０が濡れる可能性がある。本実施形態では、使用者は、容器本体１０を持たずに押圧領域２８２を押圧することができるので、容器本体１０が濡れている場合であっても、安定して押圧領域２８２を押圧することができる。
【００２９】
（基台２４）
基台２４は、図２〜図４Ａに示したように、螺合部２４１、開口２４２、回動規制面２４３、２つの第１のガイド部２４４、第２のガイド部２５０、および２つの薄肉部２５６を有する。
【００３０】
螺合部２４１は、上下方向に高さを有する環状壁の内側面に形成されており、連結部材１２の螺合部１２４と螺合する。開口２４２は、エアゾール容器１の中心軸上に位置し、当該開口１２２にステム嵌合部材２２が挿入される。回動規制面２４３は、基台２４の前側から開口２４２の中心側に張り出している部分である。回動規制面２４３が開口２４２の中心側に張り出していることにより、回動規制面２４３の幅方向上の両端には開口２４２が隣接する。
【００３１】
第１のガイド部２４４は、開口２４２の幅方向上の両側に、上下方向に沿って延出している。第１のガイド部２４４は、筒状部２２０から張り出す第１の板部２２５が摺動する上下方向に沿った縦穴（開口）２４６、および第１の板部２２５の幅方向上の先端が当接する当接面２４７を有する。このため、第１の板部２２５の前後方向上の移動が縦穴２４６の縁によって規制され、第１の板部２２５の幅方向上の移動が当接面２４７によって規制される。すなわち、第１のガイド部２４４は、第１の板部２２５を有するステム嵌合部材２２の上下方向に沿った往復移動をガイドする。
【００３２】
図４Ｂは、図４Ａに二点鎖線で示した一方の第１のガイド部２４４を含む部分の拡大図である。縦穴２４６の当接面２４７側であって、第１の板部２２５の両側には、図４Ｂに示したように上下に貫通する中空部Ｅが存在する。図４Ｂには一方の第１のガイド部２４４に存在する中空部Ｅを示しているが、他方の第１のガイド部２４４にも同様に中空部Ｅが存在する。第１のガイド部２４４と第１の板部２２５とが接触する位置に内容液が付着した場合であっても、内容液が中空部に移動することが期待されるので、内容液がステム嵌合部材２２の往復移動に与える影響を抑制することができると考えられる。また、中空部Ｅの存在により、第１の板部２２５が第１のガイド部２４４を摺動する際に生じる摩擦が軽減される効果も得られる。
【００３３】
なお、図２〜図４では、２つの第１のガイド部２４４および２つの第１の板部２２５が設けられる例を説明したが、第１のガイド部２４４の数および第１の板部２２５の数は２つに限定されない。例えば、第１のガイド部２４４の数および第１の板部２２５の数は、３つ以上であってもよい。第１のガイド部２４４の数および第１の板部２２５の数が多いほど、ステム嵌合部材２２のより安定的な往復移動を実現できると考えられる。
【００３４】
第２のガイド部２５０は、開口２４２の後側に上下方向に沿って延出している壁部、壁部から前側に突出する２つの垂直面部２５２、および壁部から前側に突出する２つの水平面部２５４を有する。２つの垂直面部２５２は、幅方向上で離隔しており、２つの垂直面部２５２の間を、筒状部２２０から張り出す第２の板部２２６が摺動する。また、第２の板部２２６の前後方向上の先端が第２のガイド部２５０の壁部に当接する。このため、第２の板部２２６の幅方向上の移動が２つの垂直面部２５２によって規制され、第２の板部２２６の前後方向上の移動が壁部によって規制される。
【００３５】
各薄肉部２５６は、基台２４の前側の縁部に形成されており、基台２４と回動部２８を接続する。薄肉部２５６は柔軟性を有するので、２つの薄肉部２５６により回動部２８の回動中心Ｒが形成され、２つの薄肉部２５６を通る直線が回動部２８の回動中心Ｒとなり、回動部２８が回動中心Ｒ周りに回動することが可能である。なお、薄肉部２５６は、回動中心Ｒを形成するための構成の一例であり、薄肉部２５６に代えて、ヒンジ機構により回動中心Ｒを形成することも可能である。
【００３６】
（取手部２６）
取手部２６は、ノズル部２３０の吐出口２３２とは径方向反対側に配置される。具体的には、取手部２６は、基台２４の後側の外周壁から後側に延出する第１の領域２６２、および第１の領域２６２の端部から押圧領域（押圧部）２８２と離れる方向（すなわち、下側）に延出する第２の領域２６４を有する。
【００３７】
図３に示したように、第１の領域２６２と第２の領域２６４により指掛け領域２６６が形成される。指掛け領域２６６は、使用者の手指（例えば、人差し指、中指および薬指）が掛けられることが予定される領域である。使用者は、指掛け領域２６６に手指を掛けて取手部２６を握ることにより、エアゾール容器１を支持することが可能である。また、取手部２６に内容液が付着すると手指の滑りが生じ得るところ、この取手部２６は吐出口２３２と反対側に位置するので、吐出口２３２から吐出された内容液の取手部２６への付着を抑制することが可能である。
【００３８】
なお、第１の領域２６２は、基台２４から離れるほど全体的にせり上がる。また、第１の領域２６２の指掛け領域２６６側の縁は上側に凹む曲線形状を有する。このため、第１の領域２６２の指掛け領域２６６側の縁において上側に凹む部分に使用者の手指が適切に誘導される。
【００３９】
（回動部２８）
回動部２８は、２つの薄肉部２５６を介して基台２４と接続され、回動中心Ｒ周りに、基台２４に近づく方向、または基台２４から離れる方向に回動する。このような回動部２８は、図２および図３に示したように、押圧領域２８２、２つの回動規制フック２８４、２つの当接部２８８、および２つの突出部２８９を有する。
【００４０】
押圧領域２８２は、取手部２６の上方に配置され、使用者が回動部２８を回動させるために手指（例えば、親指）で力を加える領域である。押圧領域２８２は、２つの回動規制フック２８４と基台２４の回動規制面２４３が係合する待機状態において、例えば２つの当接部２８８を基準にして吐出口２３２と反対側である後側に位置する。押圧領域２８２に内容液が付着すると手指の滑りが生じ得るところ、上記のように吐出口２３２と押圧領域２８２を相反する側に配置することにより、吐出口２３２から吐出された内容液の押圧領域２８２への付着を抑制することが可能である。また、押圧領域２８２は、回動中心Ｒより上側に位置し、回動部２８の回動のために必要な押圧力が軽減される。
【００４１】
押圧領域２８２には、使用者による押圧領域への押圧を誘導する誘導部が形成される。誘導部は、好ましくは凹部、凹凸部、表示部（例えば、文字、記号または模様を表示する部分）、パターン形成部およびエンボス部から選ばれる１つ、または２以上の組合わせであってもよい。図１に示した誘導部は、凹部、および複数の同心円状の円弧を描くパターン形成部の組合わせである。誘導部は、使用者による押圧領域２８２への押圧を誘導すると共に、使用者が押圧領域２８２を押圧する際の手指の滑りを抑制することが可能である。つまり、押圧領域２８２には、誘導部という滑り止め加工が施されていることになる。誘導部はこの例に限定されず、例えば、誘導部を粗面または弾性材で形成することにより、手指の滑りをさらに抑制することも可能である。
【００４２】
なお、押圧領域２８２が設けられる回動部２８の天面は、ノズル部２３０の天面と概ね面一である。すなわち、エアゾール容器１を後側上方の視点から見た際に、使用者の視点とノズル部２３０の先端の間を遮る構造物が存在しない。このため、使用者は、エアゾール容器１を使用する際にノズル部２３０の先端を視認することにより、内容液の吐出方向を容易に把握することが可能である。
【００４３】
回動規制フック２８４は、図３に示したように、回動部２８の当接部２８８よりも回動中心Ｒ（薄肉部２５６）側の位置から、基台２４側に延出している。２つの回動規制フック２８４は幅方向上で離隔しており、２つの回動規制フック２８４の先端には、各々対向するように爪２８６が設けられる。２つの回動規制フック２８４が基台２４の回動規制面２４３を両側から挟み込み、２つの回動規制フック２８４の爪２８６が回動規制面２４３の下面と係合する。爪２８６と回動規制面２４３との係合により、回動部２８が基台２４から離れる方向への回動が規制される。また、２つの回動規制フック２８４が回動規制面２４３を両側から挟み込むことにより、回動部２８の幅方向上でのブレを抑制することが可能である。
【００４４】
当接部２８８は、ステム嵌合部材２２の張出部２２４と当接する部分である。張出部２２４に当接する当接部２８８の面は、図２に示したように、張出部２２４と反対側に凹みを有する曲面で構成される。当該当接部２８８と張出部２２４との接点が、押圧領域２８２に加えられた力の作用点となる。
【００４５】
突出部２８９は、回動部２８の当接部２８８よりも押圧領域２８２側の位置から基台２４側に突出している部分である。各突出部２８９は、待機状態において、基台２４の各水平面部２５４と略同一の高さであって、各水平面部２５４の外側に位置するように形成される。
【００４６】
＜アクチュエータの動作＞
以上、アクチュエータ２０の構成を説明した。続いて、図６および図７を参照し、アクチュエータ２０の動作を説明する。
【００４７】
図６は、待機状態における、図４Ａに示したＩＩ−ＩＩ線断面を示すアクチュエータ２０および連結部材１２の断面図である。図７は、押圧状態における、図４Ａに示したＩＩ−ＩＩ線断面を示すアクチュエータ２０および連結部材１２の断面図である。
【００４８】
図６に示したように、使用者が押圧領域２８２を押圧していない待機状態において、回動部２８の当接部２８８と、ステム嵌合部材２２の張出部２２４が当接している。当該待機状態において、使用者が例えば取手部２６を人差指および中指で握り、親指で押圧領域２８２への押圧を開始すると、回動部２８が回動中心Ｒ周りに、基台２４に近づく方向に回動し始める。
【００４９】
回動部２８の回動に伴い、回動部２８の当接部２８８が、張出部２２４を介してステム嵌合部材２２を押下げ、結果、図７に示したように、ステム１６がステム嵌合部材２２により押下げられる。これにより、容器本体１０の内容液がステム孔を介し容器本体１０からステム嵌合部材２２に流出し、ステム嵌合部材２２の吐出口２３２から吐出される。使用者が押圧領域２８２への押圧を終了すると、ステム１６の付勢力によりステム嵌合部材２２が押し上げられ、ステム嵌合部材２２の張出部２２４が当接部２８８を押し上げることにより回動部２８が回動中心Ｒ周りに回動し、アクチュエータ２０は待機状態に戻る。
【００５０】
＜作用効果＞
本発明の実施形態においては、使用者は、取手部２６に指（例えば人差し指）を掛けながら押圧領域２８２を親指で押圧することができる。すなわち、使用者は、容器本体１０を持たずに押圧領域２８２を押圧することができる。したがって、使用者は、容器本体１０が濡れて滑りやすくなっていたとしても、押圧領域２８２を安定して押圧することができる。さらに、アクチュエータ２０自体が水または内容液で濡れることも想定される。なお、本実施形態では、取手部２６と吐出口２３２とが容器本体１０の径方向の両端に配置されているので、吐出口２３２から吐出された内容液は取手部２６に付着しにくい。しかしながら、例えば使用者が内容液で濡れた手で取手部２６を掴むことが想定される。この場合、取手部２６が濡れる。本実施形態では、使用者は、例えば人差し指および親指で押圧領域２８２を挟み込むようにして押圧領域２８２を押圧する。さらに、後述するように、押圧領域２８２と指掛け領域２６６とが有する位置関係によって押圧領域２８２および取手部２６が滑りにくくなっている。したがって、使用者は、安定して押圧領域２８２を押圧することができる。さらに、詳細は後述するが、使用者は、より少ない力で押圧領域２８２を押圧することができる。この点においても、使用者は、安定して押圧領域２８２を押圧することができる。例えば、押圧時に親指が横滑りしにくくなる。さらに、２つの当接部２８８が押圧領域２８２に加えられた力の作用点となり、２つの当接部２８８がステム嵌合部材２２を押下げるので、ステム嵌合部材２２の天面２２８を１点で押下げる場合と比較して、ステム嵌合部材２２およびステム１６の安定的な押下げを実現することが可能である。
【００５１】
また、２つの当接部２８８に当接する２つの張出部２２４は、筒状部２２０の天面２２８より下側に位置する、すなわち、天面２２８よりステム１６の近くに位置する。本発明の実施形態では、アクチュエータ２０が連結部材１２を介して容器本体１０と連結されるので、ステム嵌合部材２２の筒状部２２０が相応の高さを有する必要がある。このため、仮に天面２２８にステム嵌合部材２２を押下げる力が加えられた場合、押下げの方向にブレが生じやすく、押下げが不安定になり得る。これに対し、本発明の実施形態では、上記のように天面２２８よりステム１６に近い位置にステム嵌合部材２２を押下げる力が加えられるので、ステム嵌合部材２２およびステム１６をより安定的に押下げることが可能となる。
【００５２】
また、本発明の実施形態においては、当接部２８８が張出部２２４と反対側に凹みを有する曲面で構成される。このため、回動部２８の回動範囲のいずれかの位置に回動部２８があるときに、張出部２２４の上側の頂部を当接部２８８に当接させることが可能となる。例えば、図６に示したように、待機状態において張出部２２４の上側の頂部が当接部２８８に当接してもよい。かかる構成によれば、当接部２８８がステム１６の往復移動の方向に等しい上下方向の力を張出部２２４に加えることが可能となるので、ステム嵌合部材２２およびステム１６のより安定的な押下げを実現できる。
【００５３】
さらに、本発明の実施形態においては、押圧領域２８２と指掛け領域２６６とが有する位置関係に基づき、使用者がより少ない力でアクチュエータ２０を操作することが可能となる。以下、押圧領域２８２と指掛け領域２６６とが有する位置関係について詳述する。
【００５４】
＜押圧領域と指掛け領域との位置関係＞
押圧領域２８２に含まれるいずれかの点の回動軌跡の接線であって、回動部２８の回動範囲内のいずれかの位置に回動部２８があるときの点を通る接線上に、取手部２６により形成される指掛け領域２６６が位置する。上記点は、押圧領域を上側から平面視したときの押圧領域の図心であってもよい。回動部２８を親指で押圧する際に親指の指紋中心が上記図心に一致または近接するように、また、回動部２８のコンパクトの観点から、上記図心は回動部２８の回動中心Ｒと反対側の端部から５ｍｍ〜１０ｍｍ離れて位置することが好ましい。図８に示すように、押圧領域２８２の図心Ｐの回動軌跡Ｔの接線であって、待機状態における図心Ｐを通る接線は、接線Ｌ１である。押圧領域２８２が回動中心Ｒよりも上側に位置するので、当該接線Ｌ１は下側に向かうほどエアゾール容器１の中心軸から離れるように傾斜する。取手部２６により形成される指掛け領域２６６は図８に示したように当該接線Ｌ１上に位置してもよい。
【００５５】
指掛け領域２６６には例えば人差し指が掛けられ、当該人差し指と取手部２６の第１の領域２６２との接点がエアゾール容器１の全体の回転支点となり得る。このため、上記の押圧領域２８２と指掛け領域２６６との位置関係においては、押圧領域２８２に加えられた力は上記回転支点に向かう力となる。従って、押圧領域２８２に加えられた力により生じる回転支点周りのモーメントが抑制されるので、使用者はより少ない力でアクチュエータ２０を操作することが可能となる。具体的には、内容液の吐出のための、使用者が取手部２６を握る力、および押圧領域２８２を押圧する力を低減することが可能である。このため、使用者が押圧領域２８２を長時間に亘って押圧し続ける場合でも押圧状態の維持が容易になる。
【００５６】
また、第１の領域２６２は、図８に示したように、指掛け領域２６６側に接線Ｌ１と垂直に交差する部分２６２ａを有する。かかる構成によれば、押圧領域２８２に接線Ｌ１方向に加えられる力と、部分２６２ａにおいて同接線Ｌ１方向に加えられる力とが平衡することになる。すなわち、部分２６２ａにおいて接線Ｌ１と交差する方向への力が生じ難いので、手袋を着用した手指で内容液が付着した取手部２６を支持する場合であっても、取手部２６を支持する手指の滑りを抑制することが可能である。なお、上記の部分２６２ａと押圧領域２８２の図心Ｐとの距離ｄは、好ましくは１０ｍｍ以上２０ｍｍ以下であって、１２ｍｍ以上がより好ましく、１６ｍｍ以上がさらに好ましく、１８ｍｍ以下がより好ましく、１７ｍｍ以下がさらに好ましい。当該距離ｄの設計により、使用者によるアクチュエータ２０の操作性を向上可能である。ここで、上記の距離ｄは、待機状態における部分２６２ａと押圧領域２８２の図心Ｐとの距離であり、待機状態とは、押圧領域２８２に力を加えていない状態である。
【００５７】
また、取手部２６の第２の領域２６４は、下側に向かうほど接線Ｌ１との距離が近くなる面を指掛け領域２６６側に有する。図８においては、当該面の形成方向を直線Ｌ２で示している。かかる構成によれば、回動部２８の回動過程においても、押圧領域２８２に加えられた力によりエアゾール容器１全体に生じるモーメントが抑制され得る。以下、図９を参照してより詳細に説明する。
【００５８】
図９は、指掛け領域２６６における手指の位置を示す説明図である。図９に示した例では、指掛け領域２６６には、上側から順に、人差し指Ｆ１、中指Ｆ２および薬指Ｆ３が位置する。人差し指Ｆ１の中心Ｏ１は接線Ｌ１上に位置している。一方、第２の領域２６４が接線Ｌ１と平行でない面を有することにより、中指Ｆ２の中心Ｏ２および薬指Ｆ３の中心Ｏ３は、接線Ｌ１よりエアゾール容器１の中心軸側に位置している。
【００５９】
ここで、押圧領域２８２の図心Ｐの回動軌跡Ｔの接線の傾きは、回動部２８の回動状態に応じて変化する。例えば、回動部２８が回動し、押圧領域２８２の図心Ｐが位置Ｑにある場合、図心Ｐの回動軌跡Ｔを通る接線は、接線Ｌ１と異なる傾きを有する接線Ｌ１’である。図９に示した例では、接線Ｌ１’上に薬指Ｆ３の中心Ｏ３が位置する。押圧領域２８２の図心Ｐが位置Ｑに移動する過程では、図心Ｐの回動軌跡を通る接線が中指Ｆ２の中心Ｏ２を通る時点も存在する。
【００６０】
すなわち、回動部２８の回動が進むと、押圧領域２８２の図心Ｐの回動軌跡Ｔの接線が中指Ｆ２の中心Ｏ２を通り、その後、薬指Ｆ３の中心Ｏ３を通るようになる。従って、回動部２８の回動の過程において、押圧領域２８２を押圧する力を中指Ｆ２または薬指Ｆ３などにより支えやすくなるので、エアゾール容器１全体に生じるモーメントが抑制され得ると考えられる。仮に取手部２６の第２の領域２６４の指掛け領域２６６側の面が接線Ｌ１と平行であった場合、回動部２８の回動が進むと、図９を紙面に向かって見た場合の反時計周りの方向にアクチュエータ２０およびエアゾール容器１を回転させようとするモーメントが発生すると考えられる。このため、第２の領域２６４の外周側から当該モーメントに抗するための力を使用者が加える必要が生じることが懸念される。本発明の実施形態によれば、当該モーメントに抗するための力を低減し得る。
【００６１】
＜応用例：ロックピン＞
以上、本発明の実施形態を説明した。続いて、本発明の実施形態の応用例を説明する。本発明の実施形態の応用例は、待機状態において使用者の意図に反して内容液が吐出されることを防止するためのロックピンに関する。
【００６２】
図１０は、ロックピン４０の斜視図である。図１０に示したように、ロックピン４０は、把持部４２、軸部４４、および先端部４６を有する。把持部４２は、使用者がロックピン４０を把持する部分である。軸部４４は、把持部４２から一方向に延出する。軸部４４は、軸部４４の延出方向と交差（直交）する方向に沿って形成された凸部４５を有する。先端部４６は、軸部４４の把持部４２と反対側に位置し、軸部４４よりも細く形成されている。
【００６３】
図１１は、応用例によるアクチュエータ２０の外観を示す説明図である。図１１に示したように、応用例によるアクチュエータ２０の基台２４の上面２５７は、ピンガイド突起２５８ａおよび２５８ｂを有する。ピンガイド突起２５８ａおよび２５８ｂは、前後方向上で離隔して配置される。図１１に示された基台２４の幅方向の反対側にも同様に、ピンガイド突起２５８ａおよび２５８ｂが配置される。アクチュエータ２０の他の構成はここまでで説明した通りである。
【００６４】
また、ピンガイド突起２５８ａおよび２５８ｂの間隔部分を通る幅方向線上には、図１１に示したように、第１のガイド部２４４、第２のガイド部２５０および突出部２８９で囲われるピン挿入孔２５９が位置する。ロックピン４０の軸部４４は、ピンガイド突起２５８ａおよび２５８ｂの間隔部分、および当該ピン挿入孔２５９に挿入される。
【００６５】
ここで、ロックピン４０は軸部４４より細く形成された先端部４６を有するので、ロックピン４０を先端部４６からピン挿入孔２５９に挿入し易い。第２のガイド部２５０は、図示しない上下方向に沿った縦溝を有し、当該縦溝とロックピン４０の凸部４５が係合することにより、ロックピン４０が幅方向上で位置決めされる。また、ロックピン４０はピンガイド突起２５８ａおよび２５８ｂに挟まれるので、ロックピン４０が安定的に支持される。
【００６６】
ロックピン４０がピン挿入孔２５９に挿入されると、突出部２８９がロックピン４０に当接することにより、回動部２８の回動が規制される。また、ステム嵌合部材２２の第２の板部２２６がロックピン４０に当接することにより、ステム嵌合部材２２の上下移動が規制される。従って、ロックピン４０がピン挿入孔２５９に挿入された状態においては、使用者の意図に反してステム１６が押下げられること、および内容液が吐出されることを防止することが可能である。
【００６７】
＜補足＞
なお、装着具の構成は上記の例に限定されない。例えば、図８を参照して待機状態における接線Ｌ１上に指掛け領域２６６が位置する例を説明したが、押圧領域２８２と指掛け領域２６６との位置関係はかかる例に限定されない。例えば、回動部２８によりステム嵌合部材２２が押下げられている状態における図心Ｐを通る回動軌跡の接線上に指掛け領域２６６が位置してもよい。この場合、ステム嵌合部材２２が押下げられている状態において、押圧領域２８２に加えられた力により生じるアクチュエータ２０およびエアゾール容器１のモーメントが抑制されるので、使用者はより少ない力で押圧状態を維持することが可能である。
【００６８】
また、上記では、容器本体１０へのアクチュエータ２０の装着を簡易に実現するために連結部材１２が設けられる例を説明したが、容器本体１０にアクチュエータ２０が直接装着されてもよい。例えば、マウンテンカップ１４の環状突出部１４ａに嵌合する環状溝を基台２４が有することにより、容器本体１０にアクチュエータ２０を直接装着可能である。
【００６９】
＜内容液＞
つぎに、エアゾール容器１に収容される内容液について説明する。本実施形態に係る内容液は、水と併用して用いられる。ここで、内容液が水と併用して用いられる場合とは、例えば、使用者の使用部位（身体の各部位のうち、内容液を使用する部位、例えば手）又はエアゾール容器１が水で濡れた状態で内容液が使用されることを意味する。つまり、内容液が水回り（例えば、浴室、台所、洗面所等）で使用されることを意味する。内容液が水と併用して用いられる場合の具体例としては、例えば容器本体１０に水がかかる環境で内容液が使用される場合、水で濡れた手又は手袋、水分で濡れた髪や皮膚に内容液を使用する場合等が挙げられる。内容液は、滑性成分を含有しており、かつ、３０℃における吐出５秒後の吐出後粘度が、３０℃における吐出前粘度よりも低い。ここで、吐出前粘度は容器本体１０に収容された状態での粘度を意味し、吐出後粘度は、吐出口２３２から吐出された後５秒後の粘度を意味する。したがって、本実施形態に係る内容液は、所謂高滑性内容液となっている。したがって、内容液は、吐出後に容器本体１０に付着しやすい。内容液は高滑性であるため、内容液で濡れた容器本体１０は、非常に滑りやすくなっている。さらに、内容液は水と併用して用いられるため、容器本体１０が水で濡れる場合もある。容器本体１０が水で濡れている場合にも、容器本体１０が非常に滑りやすくなる。しかしながら、上述したように、使用者は、容器本体１０を持たずに押圧領域２８２を押圧することができる。したがって、容器本体１０が内容液あるいは水で濡れていたとしても、使用者は、押圧領域２８２を安定して押圧することができる。ここで、粘度は、例えばヘリカルスタンド付きＢ型粘度計（例えば東機産業株式会社  ＴＶＢ―１０型）によって測定可能である。
【００７０】
本実施形態に係る内容液は、高滑性内容液であればどのようなものであってもよい。エアゾール容器１は、内容液を外気、特に酸素から保護することができる。したがって、内容液は、酸化の抑制が望まれる内容液であることが好ましい。このような内容液としては、例えば、ボディソープ、シャンプー、リンス、トリートメント、染色剤（例えば染毛剤）、香水、飲料液または食品（例えば、醤油、味噌、酢、ホイップクリーム等）であってもよい。
【００７１】
＜物性値＞
つぎに、内容液の好ましい物性値について説明する。内容液充填後、３０℃、１気圧の条件下で押圧領域２８２が最初に１０秒間押圧された場合、ノズル部２３０の吐出口２３２は、１０秒間の合計質量が３０〜７０ｇ、単位時間の吐出量が３〜７ｇ／ｓの内容液を吐出することが好ましい。本実施形態において「最初に」吐出する内容液の量は、内容液の充填後の状態、又は充填率（内容液の充填量を充填完了時の充填量で除算した値）が８０％以上の状態における吐出量である。これだけの吐出量の内容液が吐出された場合、内容液は、容器本体１０に付着しやすくなる。このような状況であっても、使用者は、押圧領域２８２を安定して押圧することができる。なお、本実施形態における内容液の粘度は、環境温度３０℃で測定する粘度であって、測定機器はヘリカルスタンドを有するＢ型粘度計（例えば東機産業株式会社  ＴＶＢ―１０型）を使用することができる。具体的には、例えば、回転数を１ｒｐｍ、回転時間を１分間とし、粘度に応じたＴ形スピンドルを選択して使用すれば良い。例えば、粘度が７２０００ｍＰａ・ｓ以上の場合はＴ−Ｃ、粘度が８０００ｍＰａ・ｓ以上７２０００ｍＰａ・ｓ未満の場合はＴ−Ｂ、粘度が８０００ｍＰａ・ｓ未満の場合はＴ−Ａを選択すればよい。
【００７２】
また、内容液の３０℃における吐出前粘度は、好ましくは１０００ｍＰａ・ｓ以上１０００００ｍＰａ・ｓ以下である。ここで、内容液がシャンプーである場合、吐出前粘度は１０００ｍＰａ・ｓ以上１００００ｍＰａ・ｓ以下である場合がある。内容液がトリートメントである場合、内容液の吐出前粘度は１００００ｍＰａ・ｓ以上１０００００ｍＰａ・ｓ以下である場合がある。内容液がトリートメントとなる場合、内容液の吐出前粘度は３００００ｍＰａ・ｓ以上となる場合もある。内容液が染毛剤であっても、内容液の粘度はトリートメントと同等となる場合がある。これらを鑑みると、内容液の吐出前粘度は、１００００ｍＰａ・ｓ以上であってもよく、１０００００ｍＰａ・ｓ以下であってもよい。また、内容液の吐出前粘度は、８００００ｍＰａ・ｓ以下であってもよい。吐出前粘度が上記のような値となる場合、内容液は、吐出後に容器本体１０に付着しやすくなる。そして、容器本体１０を非常に滑りやすくする。しかし、使用者は、容器本体１０を持たずに押圧領域２８２を押圧することができるため、押圧領域２８２を安定して押圧することができる。
【００７３】
＜内容液の組成＞
つぎに、内容液の好ましい組成について説明する。滑性成分は、界面活性剤、高級アルコール、高級脂肪酸、及びこれら以外の３０℃で液体の油剤から選択されるいずれか１種以上又はそれらの混合物を含むことが好ましい。界面活性剤は、例えば内容液の油性の有効成分を内容液中に分散させやすくするため、乳化させるために、あるいは安定性のために使用される。油剤および高級アルコールは、例えば乳化物の形成のため、あるいは保湿やしっとりした感触を向上させるために使用される。内容液がこれらの滑性成分を含む場合、内容液は容器本体１０に付着しやすく、かつ、容器本体１０を非常に滑りやすくする。しかし、使用者は、容器本体１０を持たずに押圧領域２８２を押圧することができるため、押圧領域２８２を安定して押圧することができる。
【００７４】
ここで、滑性成分は、界面活性剤として、内容液の総質量に対して０．２質量％以上３質量％以下のカチオン性界面活性剤を含むことが好ましい。この場合、内容液は、容器本体１０を非常に滑りやすくする。ここで、カチオン性界面活性剤の種類は特に制限されないが、モノ長鎖アルキルトリメチルアンモニウム塩、ジ長鎖アルキルジメチルアンモニウム塩が挙げられる。カチオン性界面活性剤の対イオンとしては例えば塩素イオンが挙げられる。対イオンが塩素イオンのモノ長鎖アルキルトリメチルアンモニウム塩、すなわち塩化モノ長鎖アルキルトリメチルアンモニウムとして、塩化ラウリルトリメチルアンモニウム、塩化ミリスチルトリメチルアンモニウム、塩化セチルトリメチルアンモニウム、塩化ステアリルトリメチルアンモニウム、塩化ベヘニルトリメチルアンモニウム等が挙げられ、塩化ジ長鎖アルキルジメチルアンモニウムとして塩化ジココイルジメチルアンモニウム、塩化ジステアリルジメチルアンモニウム等が挙げられる。また、塩素イオン以外の対イオンとしては、臭素イオン、サッカリンイオン、メチル硫酸イオン等が挙げられる。カチオン性界面活性剤の他の例としては、３級アミン塩型界面活性剤が挙げられる。具体的には、モノ長鎖ジメチルアミン塩としてオクタデシロキシプロピルジメチルアミン乳酸塩、ステアラミドエチルジエチルアミン乳酸、ステアラミドプロピルジメチルアミンリンゴ酸塩、ベヘナミドプロピルジメチルアミンリン酸塩等が挙げられる。カチオン性界面活性剤は、これらのいずれか１種または２種以上で構成されてもよい。滑性成分が複数種類のカチオン性界面活性剤を含む場合、全てのカチオン性界面活性剤の質量％の総和が０．２質量％以上３質量％以下となることが好ましい。カチオン性界面活性剤の内容液中の含有量は、０．５質量％以上であることがより好ましく、２質量％以下であることがより好ましい。
【００７５】
また、滑性成分は、界面活性剤として、内容液の総質量に対して５質量％以上３５質量％以下のアニオン性界面活性剤を含むことが好ましい。この場合、内容液は、容器本体１０を非常に滑りやすくする。ここで、アニオン性界面活性剤の種類は特に制限されないが、例えば、ステアリン酸塩、イソステアリン酸塩、ラウリン酸塩、ミリスチン酸塩、パルミチン酸塩、ベヘン酸塩、オレイン酸塩等の飽和又は不飽和脂肪酸塩、ＰＯＥラウリルエーテル硫酸ナトリウム等のアルキルエーテル硫酸塩、ラウリル硫酸ナトリウム、セトステアリル硫酸ナトリウム、セチル硫酸ナトリウム等のアルキル硫酸塩、アルケニルエーテル硫酸塩、アルケニル硫酸塩、オレフィンスルホン酸塩、アルカンスルホン酸塩、アルキル又はアルケニルエーテルカルボン酸塩、α−スルホン脂肪酸塩、ココイルグルタミン酸トリエタノールアミン（ココイルグルタミン酸ＴＥＡ）等のＮ−アシルアミノ酸型界面活性剤、リン酸モノ又はジエステル型界面活性剤、及びスルホコハク酸エステル等が挙げられる。これらの界面活性剤のアニオン基の対イオンとしては、例えばナトリウムイオン、カリウムイオン、アンモニウムイオン及びトリエタノールアミンが挙げられる。アニオン性界面活性剤は、これらのいずれか１種または２種以上で構成されてもよい。滑性成分が複数種類のアニオン性界面活性剤を含む場合、内容液中の全てのアニオン性界面活性剤の質量％の総和が５質量％以上３５質量％以下となることが好ましい。内容液中のアニオン性界面活性剤の含有量は１０質量％以上であることが好ましく、含有量は１５質量％以下であることが好ましい。
【００７６】
滑性成分は、界面活性剤として、他の種類の界面活性剤、例えば両性界面活性剤、およびノニオン性界面活性剤からなる群から選択されるいずれか１種以上を含んでいても良い。ノニオン性界面活性剤としては、例えば、ポリオキシエチレンソルビタン脂肪酸エステル、ポリオキシエチレンソルビット脂肪酸エステル、ポリオキシエチレングリセリン脂肪酸エステル、ポリオキシエチレン脂肪酸エステル、ポリオキシエチレンアルキルエーテル、ポリオキシアルキレン（硬化）ヒマシ油等のポリエチレングリコール型ノニオン性界面活性剤と、ショ糖脂肪酸エステル、（ポリ）グリセリンアルキルエーテル、（ポリ）グリセリン脂肪酸エステル、アルキルグリコシド等の多価アルコール型ノニオン性界面活性剤、又は脂肪酸アルカノールアミドが挙げられる。内容液中のノニオン性界面活性剤の含有量は、０．０１質量％以上１０質量％以下であることが好ましい。
【００７７】
本実施形態の内容液に含有される高級アルコールは、好ましくは炭素数８以上のアルコールである。かかる高級アルコールとしては、例えば、ラウリルアルコール、ミリスチルアルコール、セチルアルコール、ステアリルアルコール、セトステアリルアルコール、アラキルアルコール、ベヘニルアルコール、オレイルアルコール、リノレイルアルコール、リノレニルアルコール、２−ヘキシルデカノール、イソステアリルアルコール、２−オクチルドデカノール、デシルテトラデカノール等が挙げられる。高級アルコールは、これらのいずれか１種または２種以上で構成されてもよい。高級アルコールの含有量は、内容液中の全て高級アルコールの質量％の総和が０．０５質量％１０質量％以下であることが好ましく、０．５質量％以上７質量％以下であることが感触や、液の粘度調整の観点から好ましい。
【００７８】
本実施形態の内容液に含有される高級脂肪酸は、好ましくは炭素数８以上の脂肪酸であり、より好ましくは炭素数が１４以上２４以下の脂肪酸である。かかる高級脂肪酸としては、例えば、直鎖脂肪酸、分岐脂肪酸が挙げられる。直鎖脂肪酸は、炭素数１６以上２２以下の飽和脂肪酸であることが好ましい。分岐脂肪酸は、例えば、イソステアリン酸、１４−メチルペンタデカン酸、１５−メチルヘキサデカン酸、１６−メチルヘプタデカン酸、１７−メチルオクタデカン酸、１８−メチルノナデカン酸、１９−メチルエイコサン酸、２０−メチルヘンエイコサン酸、１４−メチルヘキサデカン酸、１５−メチルヘプタデカン酸、１６−メチルオクタデカン酸、１７−メチルノナデカン酸、１８−メチルエイコサン酸、１９−メチルヘンエイコサン酸から選ばれる１種又は２種以上であることが好ましく、これらを含むラノリンを用いてもよく、イソステアリン酸、１８−メチルエイコサン酸（１８-ＭＥＡ）を含むことがより好ましい。高級脂肪酸は、これらのいずれか１種又は２種以上で構成されてもよい。高級脂肪酸の含有量は、内容液中の全ての高級脂肪酸の総和が０．５質量％以上１０質量％以下であることが好ましく、１質量％以上８質量％以下であることが感触や液の粘度調整の観点から好ましい。
【００７９】
滑性成分が３０℃で液体である油剤を含む場合、油剤の含有量は、内容液の総質量に対して１質量％以上１５質量％以下であることが好ましい。この場合、内容液は、容器本体１０を非常に滑りやすくする。ここで、３０℃で液体である油剤としては、例えば、炭化水素油（３０℃で液体のもの、例えば炭素数が５以上４０未満のもの）、シリコーン油、フッ素油、エステル油、脂肪酸等が挙げられる。３０℃で液体である油剤は、これらのいずれか１種または２種以上で構成されてもよい。シリコーン油の例としては、具体的にはジメチルポリシロキサン、環状シリコーン、メチルフェニルポリシロキサン、ジメチコノール（末端にヒドロキシル基を有するジメチルポリシロキサン）、及びアミノ変性シリコーン（分子内にアミノ基を有するジメチルポリシロキサン）、アルコキシ変性シリコーン、アルキル変性シリコーン、ポリエーテル変性シリコーン、グリセリル変性シリコーン等が挙げられる。なかでも、シリコーン油が容器本体１０に付着した場合には、容器本体１０が非常に滑りやすくなるが、本実施形態のエアゾール容器１であれば内容液が容器本体１０に付着した場合であっても、押圧領域２８２を容易に押圧することが可能になる。
【００８０】
３０℃で液体の炭化水素油としては、例えば流動パラフィン、流動イソパラフィン、スクワラン、スクワレン、α―オレフィンオリゴマー、ポリブテン等が挙げられ、これらから選ばれる１種又は２種以上を内容液に含有することができる。
【００８１】
３０℃で液体のエステル油としては、例えばイソノナン酸イソノニル、イソノナン酸イソトリデシル、ラウリン酸メチル、ラウリン酸ヘキシル、ラウリン酸オクチル、ミリスチン酸イソプロピル、ミリスチン酸オクチル、パルミチン酸イソプロピル、パルミチン酸２−エチルヘキシル、オレイン酸オレイル、オレイン酸デシル、イソステアリン酸イソプロピル等が挙げられる。また、これらのいずれか１種又は２種以上を含む植物油としては、アボカド油、オリーブ油、ヒマワリ油、ツバキ油、キョウニン油、アーモンド油、ヒマシ油、カカオ油、メドウフォーム油等が挙げられ、これらから選ばれる１種又は２種以上を内容液に含有することができる。
【００８２】
本実施形態においてエステル油は、エステル構造を有し、ＨＬＢ値は好ましくは８以下である。なお、ＨＬＢ値は、親水性−親油性のバランス（Ｈｙｄｒｏｐｈｉｌｅ
ｉｐｏｐｈｉｌｅ Ｂａｌａｎｃｅ）を示す指標であり、本実施形態においては、小田及び寺村らによる次式により算出した値を用いている。
ＨＬＢ＝（Σ無機性値／Σ有機性値）×１０
【００８３】
滑性成分が複数種類の油剤を含む場合、内容液中の全ての油剤の質量％の総和が０．５質量％以上１５質量％以下であることが好ましい。内容液中の油剤の含有量は３質量％以上であることがより好ましく、１２．０質量％以下であることがより好ましい。
【００８４】
内容液は、さらにエタノールを含んでいても良い。エタノールの含有量は、吐出後の内容液の粘性を高める観点から、内容液の総質量に対して１０質量％以下となることが好ましく、５質量％以下であることがより好ましい。
【００８５】
内容液は、上述した成分を任意に組み合わせて含有していてもよい。本実施形態に係るエアゾール容器は、カチオン性界面活性剤および高級アルコールを含有し、例えばコンプレックスを形成する内容液により、容器本体１０が滑りやすい場合であっても、好適に用いることができる。
【００８６】
内容液が染毛剤となる場合、内容液は、上記成分に加え、さらにアルカリ剤又は酸化剤、および染料を含んでいてもよい。アルカリ剤は、毛髪を膨潤させることで、毛髪への染料の浸透性を向上させるものである。染料は、毛髪を染色するものである。染料としては、塩基性〜酸性の染料があり、染料が塩基性の場合、内容液はアルカリ剤を含有することが好ましく、染料が酸性の場合、内容液は、内容液を酸性にするためのｐＨ調整剤を含有することが好ましい。
【００８７】
アルカリ剤としては、例えば、アンモニア、アンモニウム塩、アルカノールアミン、有機アミン類（２−アミノ−２−メチル−１，３−プロパンジオール、グアニジン等）、無機アルカリ（水酸化ナトリウム、水酸化カリウム等）、炭酸塩（炭酸ナトリウム、炭酸カリウム、炭酸アンモニウム、炭酸水素アンモニウム等）、塩基性アミノ酸（アルギニン、リジン等）及びそれらの塩等が挙げられる。
【００８８】
アンモニウム塩としては、例えば、塩化アンモニウム、炭酸アンモニウム、炭酸水素アンモニウム、硫酸アンモニウム、リン酸アンモニウム、硝酸アンモニウム等の無機酸のアンモニウム塩、又は、クエン酸アンモニウム、酢酸アンモニウム、シュウ酸アンモニウム、酒石酸アンモニウム等の有機酸のアンモニウム塩が挙げられる。
【００８９】
アルカノールアミンとしては、モノエタノールアミン、ジエタノールアミン、トリエタノールアミン、モノプロパノールアミン、イソプロパノールアミン、ジプロパノールアミン、トリプロパノールアミン、２−アミノ−２−メチル−１，３−プロパンジオール、２−アミノ−２−メチル−１−プロパノール、２−アミノ−２−ヒドロキシメチル−１，３−プロパンジオール等が挙げられる。
【００９０】
アルカリ剤は、上記のいずれか１種または２種以上で構成されてもよい。アルカリ剤の含有量は内容液中の全てのアルカリ剤の質量％の総和が０．０１質量％以上２０質量％以下であり、０．１質量％以上５質量％であることが好ましい。
【００９１】
染料としては、例えば酸性染料、および塩基性染料が挙げられる。酸性染料および塩基性染料は、単独で使用されても良いし、組み合わせて使用されても良い。酸性染料としては、例えば、赤色２号、赤色３号、赤色１０２号、赤色１０４号の（１）、赤色１０５号の（１）、赤色１０６号、赤色２２７号、赤色２３０号の（１）、黄色４号、黄色５号、黄色２０２号の（１）、黄色２０２号の（２）、黄色２０３号、だいだい色２０５号、だいだい色２０７号、だいだい色４０２号、緑色３号、緑色２０４号、緑色４０１号、紫色４０１号、青色１号、青色２号、青色２０２号、かっ色２０１号、黒色４０１号等が挙げられる。酸性染料は、これらのいずれか１種または２種以上で構成されてもよい。
【００９２】
塩基性染料としては、例えば、ジヒドロキシインドール（ＤＨＩ）、Ｂａｓｉｃ  Ｂｌｕｅ  ３、Ｂａｓｉｃ  Ｂｌｕｅ  ６、Ｂａｓｉｃ  Ｂｌｕｅ  ７、Ｂａｓｉｃ  Ｂｌｕｅ  ９、Ｂａｓｉｃ  Ｂｌｕｅ  ２６、Ｂａｓｉｃ  Ｂｌｕｅ  ４１、Ｂａｓｉｃ  Ｂｌｕｅ  ４７、Ｂａｓｉｃ  Ｂｌｕｅ  ９９、Ｂａｓｉｃ  Ｂｒｏｗｎ  ４、Ｂａｓｉｃ  Ｂｒｏｗｎ  １６、Ｂａｓｉｃ  Ｂｒｏｗｎ  １７、Ｂａｓｉｃ  Ｇｒｅｅｎ  １、Ｂａｓｉｃ  Ｇｒｅｅｎ  ４、Ｂａｓｉｃ  Ｏｒａｎｇｅ  １、ＢａｓｉｃＯｒａｎｇｅ  ２、Ｂａｓｉｃ  Ｏｒａｎｇｅ  ３１、Ｂａｓｉｃ  Ｒｅｄ  １、Ｂａｓｉｃ  Ｒｅｄ  ２、Ｂａｓｉｃ  Ｒｅｄ  ２２、Ｂａｓｉｃ  Ｒｅｄ  ４６、Ｂａｓｉｃ  Ｒｅｄ  ５１、Ｂａｓｉｃ  Ｒｅｄ  ７６、Ｂａｓｉｃ  Ｒｅｄ  １１８、Ｂａｓｉｃ  Ｖｉｏｌｅｔ  １、Ｂａｓｉｃ  Ｖｉｏｌｅｔ  ３、Ｂａｓｉｃ  Ｖｉｏｌｅｔ  ４、Ｂａｓｉｃ  Ｖｉｏｌｅｔ  １０、Ｂａｓｉｃ  Ｖｉｏｌｅｔ１１：１、Ｂａｓｉｃ  Ｖｉｏｌｅｔ  １４、Ｂａｓｉｃ  Ｖｉｏｌｅｔ  １６、Ｂａｓｉｃ  Ｙｅｌｌｏｗ  １１、Ｂａｓｉｃ  Ｙｅｌｌｏｗ  ２８、Ｂａｓｉｃ  Ｙｅｌｌｏｗ  ５７、Ｂａｓｉｃ  Ｙｅｌｌｏｗ  ８７等が挙げられる。塩基性染料は、これらのいずれか１種または２種以上で構成されてもよい。
【００９３】
染料は、上記のいずれか１種または２種以上で構成されてもよい。染料の内容液中の含有量は、内容液中の全ての染料の質量％の総和が０．０５質量％以上３質量％以下であることが好ましく、０．１質量％以上２質量％以下であることが好ましい。
【００９４】
上記で説明した内容液の組成はあくまで一例であり、前述以外に、内容液の用途に応じて様々な成分を内容液に含有させてよい。例えば、増粘剤（カルボキシビニルポリマー、カルボキシメチルセルロースナトリウム等）、ビタミンＣ誘導体（Ｌ−アスコルビン酸等）、酸化防止剤（亜硫酸ナトリウム等）、ｐＨ調整剤（リン酸等）、保湿剤（グリセリン、プロピレングリコール、ジプロピレングリコール等のポリオール）、防腐剤、フルーツ酸（乳酸、リンゴ酸等）、香料等を内容液に含有させてもよい。
【００９５】
＜エアゾール容器の使用方法＞
次に、エアゾール容器１の使用方法について説明する。上述したように、使用者は、取手部２６に指（例えば人差し指）を掛けながら押圧領域２８２を親指で押圧することができる。すなわち、使用者は、容器本体１０を持たずに押圧領域２８２を押圧することができる。したがって、使用者は、容器本体１０が水、あるいは内容液で濡れて滑りやすくなっていたとしても、押圧領域２８２を安定して押圧することができる。
【００９６】
エアゾール容器１の使用場所は特に制限されず、内容液の種類に応じて変動しうる。例えば、水と併用して内容液が用いられる環境下で、エアゾール容器１が使用される場合がある。つまり、使用者の使用部位又はエアゾール容器１が水で濡れた状態で内容液が使用される場合がある。例えば、内容液が浴室内で使用されるもの（例えば、ボディソープ、シャンプー、リンス、トリートメント等）である場合、エアゾール容器１は浴室内で使用される。染毛を浴室内で行う場合、エアゾール容器１も浴室内で使用される。そして、浴室内でエアゾール容器１が使用される場合、使用者は、水分の残った体または髪に内容液を使用することが多い。使用者は、水分の残った体または髪に内容液を使用する場合、使用者が濡れた手で容器本体をつかむことが多い。この結果、容器本体が濡れる。また、シャワー等から放出された水が容器本体に掛かる等の原因によっても容器本体が濡れる。このように、浴室は、エアゾール容器１が非常に濡れやすい環境であると言える。このような環境下であっても、使用者は、押圧領域２８２を安定して押圧することができる。つまり、内容液が水と併用して使用される場合であっても、使用者は、押圧領域２８２を安定して押圧することができる。
【００９７】
浴室内での使用例として、内容液が染毛剤となる場合の使用方法を説明する。使用者は、浴室内で、シャンプーで洗髪を行い、ついでタオルで髪から水気を取る。ついで、使用者は、手袋を着用し、一方の手でアクチュエータ２０を操作する。具体的には、取手部２６に指を掛けながら押圧領域２８２を押圧する。これにより、吐出口２３２から内容液を吐出させる。使用者は、他方の手で吐出口２３２から吐出される内容液を受け、内容液を髪につける。使用者は、数分間後に内容液が付いた髪をすすぐ。なお、手袋を着用した状態では、容器本体１０がさらに滑りやすくする。本実施形態では、使用者は、容器本体１０を持つ必要がないので、手袋を着用した状態であっても押圧領域２８２を安定して押圧することができる。
【実施例】
【００９８】
つぎに、本実施形態の実施例について説明する。本実施例では、本実施形態による効果を検証するために、本実施形態に係るエアゾール容器１に高活性内容液を収容した。さらに、装着具を含めたエアゾール容器１全体を高滑性内容液で濡らした。このような状態でエアゾール容器から高活性内容液を吐出できるか評価した。なお、粘度の測定は、スピンドル付きＢ型粘度計（東機産業株式会社  ＴＶＢ―１０型）を用いた。測定条件は、測定温度：３０℃、回転数：１０ｒｐｍ、回転時間：１分間とし、粘度に応じたＴ形スピンドルを使用した。
【００９９】
（実施例１：トリートメント液１）
実施例１では、以下の表１に示す組成のトリートメント液１を用意した。
【０１００】
【表１】
2019051958.tif 000003
【０１０１】
ついで、５０ｇのトリートメント液１をエアゾール容器１の内袋に収容した。また、圧縮ガスとして０．３ｇの圧縮窒素を使用した。ガス圧は０．６ＭＰａとした。トリートメント液１の３０℃における吐出前粘度（容器内での粘度）を測定した。測定機器、測定条件は上述した通りとし、Ｔ型スピンドルとしてＴ―Ｂを使用した。この結果、吐出前粘度は６１０００ｍＰａ・ｓであった。なお、吐出前粘度は、トリートメント液１をエアゾール容器１に収容してから１ヶ月経過した時点で測定した。
【０１０２】
ついで、トリートメント液１でエアゾール容器１全体を濡らした。この状態でエアゾール容器１を使用した。具体的には、３０℃、１気圧の条件下で、取手部２６に人差し指を掛けながら押圧領域２８２を親指で押圧した。この結果、押圧領域２８２を問題なく押圧することができ、吐出口２３２から内容液を吐出させることができた。ここで、押圧領域を１０秒間押圧したところ、吐出量は４３ｇであった。
【０１０３】
また、トリートメント液１の３０℃における吐出後粘度（吐出５秒後の粘度）を測定した。測定機器、測定条件は上述した通りとし、Ｔ型スピンドルとしてＴ―Ｂを使用した。この結果、吐出後粘度は５００００ｍＰａ・ｓであった。
【０１０４】
（実施例２：シャンプー液）
実施例２では、以下の表２に示す組成のシャンプー液を用意し、このシャンプー液を用いて実施例１と同様の処理を行った。
【０１０５】
【表２】
2019051958.tif 000004
【０１０６】
この結果、押圧領域２８２を問題なく押圧することができ、吐出口２３２から内容液を吐出させることができた。ここで、押圧領域を１０秒間押圧したところ、吐出量は４６ｇであった。
【０１０７】
（実施例３：トリートメント液２）
実施例３では、以下の表３に示す組成のトリートメント液２を用意し、このトリートメント液２を用いて実施例１と同様の処理を行った。
【０１０８】
【表３】
2019051958.tif 000005
【０１０９】
この結果、トリートメント液２の３０℃における吐出前粘度（容器内での粘度）は７４３００ｍＰａ・ｓであった。なお、測定機器、測定条件は上述した通りとし、Ｔ型スピンドルとしてＴ―Ｃを使用した。また、押圧領域２８２を問題なく押圧することができ、吐出口２３２から内容液を吐出させることができた。ここで、押圧領域を１０秒間押圧したところ、吐出量は４５ｇであった。また、トリートメント液２の３０℃における吐出後粘度は４７０００ｍＰａ・ｓであった。なお、測定機器、測定条件は上述した通りとし、Ｔ型スピンドルとしてＴ―Ｂを使用した。
【０１１０】
（比較例１）
つぎに、比較例１について説明する。比較例１では、図１３に示すエアゾール容器１０００を準備した。エアゾール容器１０００は、公知のエアゾール容器である。以下、エアゾール容器１０００の構造を簡単に説明する。エアゾール容器１０００は、容器本体１０１０および容器本体１０１０の上側に装着される装着具１０２０を備える。容器本体１０１０は、内容液を収納する部分であり、円筒形状を有する。装着具１０２０は、押圧部１０３０を備える。押圧部１０３０には、ノズル１０４０および吐出口１０５０が形成されている。吐出口１０５０はノズル１０４０の先端に形成されている。使用者は、容器本体１０１０を手で持ちながら、人差し指で装着具１０２０の押圧部１０３０を押圧する。これにより、吐出口１０５０から内容液が吐出される。
【０１１１】
そして、エアゾール容器１０００を用いて実施例１と同様の処理を行った。しかしながら、使用者は、押圧部１０３０を押圧しようとしても、容器本体１０１０を持つ手が滑ってしまい、押圧部１０３０を押圧することができなかった。この結果、内容液をエアゾール容器１０００から吐出させることができなかった。
【０１１２】
（比較例２）
つぎに、比較例１について説明する。比較例２では、図１４に示すエアゾール容器２０００を準備した。以下、エアゾール容器２０００の構造を簡単に説明する。エアゾール容器２０００は、容器本体２０１０および容器本体２０１０の上側に装着される装着具２０２０を備える。容器本体２０１０は、内容液を収納する部分であり、円筒形状を有する。さらに、容器本体２０１０の周面のうち、装着具２０２０に近い部分には、容器本体２０１０の周方向に沿って切り欠き２０６０が形成されている。装着具２０２０は、押圧部２０３０を備える。押圧部２０３０には、ノズル２０４０および吐出口２０５０が形成されている。吐出口２０５０はノズル２０４０の先端に形成されている。使用者は、容器本体２０１０を手で持ちながら、人差し指で装着具２０２０の押圧部２０３０を押圧する。ここで、使用者は、容器本体２０１０の切り欠き２０６０に指を掛けながら押圧部２０３０を押圧することができる。これにより、吐出口２０５０から内容液が吐出される。
【０１１３】
そして、エアゾール容器２０００を用いて実施例１と同様の処理を行った。しかしながら、使用者は、押圧部２０３０を押圧しようとしても、容器本体２０１０を持つ手が滑ってしまい、押圧部２０３０を押圧することができなかった。比較例２では指を掛ける切り欠き２０６０が形成されているが、切り欠き２０６０では使用者の指の滑りをほとんど抑制することができなかった。この結果、内容液をエアゾール容器１０００から吐出させることができなかった。
【０１１４】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【０１１５】
１  エアゾール容器
１０  容器本体
１４  マウンテンカップ
１４ａ  環状突出部
１６  ステム
１２  連結部材
１２１  環状溝
１２２  開口
１２４  螺合部
１２６  下端縁部
２０  アクチュエータ
２２  ステム嵌合部材
２２０  筒状部
２２１  中空部
２２２  開口
２２４  張出部
２２５  第１の板部
２２６  第２の板部
２２８  天面
２３０  ノズル部
２３２  吐出口
２３４  流路
２４  基台
２４１  螺合部
２４２  開口
２４３  回動規制面
２４４  第１のガイド部
２４６  縦穴
２４７  当接面
２５０  第２のガイド部
２５２  垂直面部
２５４  水平面部
２５６  薄肉部
２５７  上面
２５８ａ、２５８ｂ  ピンガイド突起
２５９  ピン挿入孔
２６  取手部
２６２  第１の領域
２６４  第２の領域
２６６  指掛け領域
２８  回動部
２８２  押圧領域
２８４  回動規制フック
２８６  爪
２８８  当接部
２８９  突出部
４０  ロックピン
４２  把持部
４４  軸部
４５  凸部
４６  先端部
【図１】
2019051958.tif 000006
【図２】
2019051958.tif 000007
【図３】
2019051958.tif 000008
【図４Ａ】
2019051958.tif 000009
【図４Ｂ】
2019051958.tif 000010
【図５】
2019051958.tif 000011
【図６】
2019051958.tif 000012
【図７】
2019051958.tif 000013
【図８】
2019051958.tif 000014
【図９】
2019051958.tif 000015
【図１０】
2019051958.tif 000016
【図１１】
2019051958.tif 000017
【図１２】
2019051958.tif 000018
【図１３】
2019051958.tif 000019
【図１４】
2019051958.tif 000020